【手続補正書】
【提出日】平成18年6月14日(2006.6.14)
【手続補正１】
【補正対象書類名】特許請求の範囲
【補正対象項目名】全文
【補正方法】変更
【補正の内容】
【特許請求の範囲】
【請求項１】
炎の効果を出す電気ヒータにおいて、
i）実質的に平らな壁に据えつけられるようにされたハウジングと、
ii）前記ハウジング内に配され、その動作によって当該ハウジング内に空気を吸い込み、該空気を加熱し、および該熱せられた空気を放出する加熱手段と、
iii）前記ハウジング内に配備される炎のシミュレーションを生成するアセンブリであって、
（ａ）光源と、
（ｂ）光の放散および透過を可能とする観察面と、
（ｃ）前記観察面の背後に配置された後方反射手段と、
（ｄ）動く光線を生成する手段と、
を具え、前記光源は前記反射手段の下で前記観察面の後ろに配され、前記動く光線を生成する手段は前記光源の前で前記観察面の下に配され、および前記光源からの光は前記動く光線を生成する手段で反射されて前記反射手段に至り、また、前記反射手段で反射して前記観察面に至り、当該観察面で見ることができる知覚できる像を生成し、および
前記加熱手段は、前記ハウジングの下側における外側パネルを介して、実質的に垂直下方に向かう流れの空気を放出することを特徴とする電気ヒータ。
【請求項２】
前記光源は約４０ｍｍより大きくない最大外側寸法を有した少なくとも１つのハロゲン電球またはタングステンフィラメント電球を備えることを特徴とする請求項１に記載の電気ヒータ。
【請求項３】
前記光源からの光が前記光源の上方に備えられたバッフルによって前記観察面に直接照射されることが防止されることを特徴とする請求項１または２に記載の電気ヒータ。
【請求項４】
前記光源の背後に付加的な反射器が配されることを特徴とする請求項１ないし３のいずれかに記載の電気ヒータ。
【請求項５】
前記光源は３５ｍｍより大きくなく、好ましくは２０ｍｍより大きくない幅を有したことを特徴とする請求項１ないし４のいずれかに記載の電気ヒータ。
【請求項６】
前記光源は約１５ｍｍより大きくない幅を有したことを特徴とする請求項５に記載の電気ヒータ。
【請求項７】
前記動く光線を生成する手段は実質的に水平に装着されその軸回りに回転するシャフトを備え、該シャフトは該シャフトからぶら下がる複数の概略放射状に向いた反射材料片を有し、前記材料片は前記光源からの光を前記観察面に対して効果的に反射することを特徴とする請求項１ないし６のいずれかに記載の電気ヒータ。
【請求項８】
前記シャフトは当該第１の端部を駆動手段に駆動可能に連結されて回転が可能となり、また、当該第２の端部が支持ブラケットに保持され、前記シャフトはその動作位置から移動でき、それによって前記光源に近づくことが可能となることを特徴とする請求項７に記載の電気ヒータ。
【請求項９】
視覚上の効果を生成するための装置において、
i）光源と、
ii）光の放散および透過を可能とする観察面と、
iii）動く光線を生成する手段と、
を具え、
ａ）前記光源からの光は前記動く光線を生成する手段で反射され、直接または間接に、前記観察面に至り当該観察面で見ることができる知覚像を生成し、および
ｂ）前記動く光線を生成する手段はその軸回りに回転するよう装着され、前記光源からの光を反射する反射材料が装着されたシャフトを備え、前記シャフトは当該第１の端部を当該シャフトを回転させるよう動作する駆動手段に駆動可能に連結され、また、当該第２の端部が支持ブラケットに保持され、前記シャフトはその動作位置から移動でき、それによって前記光源に近づくことが可能となる
ことを特徴とする視覚上の効果を生成するための装置。
【請求項１０】
前記シャフトは可撓性のブッシュを介して前記駆動手段に連結され、および前記シャフトの前記第２端部は前記ブラケットに取り外し可能に装着され、前記シャフトは前記可撓性ブッシュのたわみによって所望のときに移動できることを特徴とする請求項７または８に記載の電気ヒータ、または請求項９に記載の装置。
【請求項１１】
前記後方反射手段は、反射領域と非反射領域を有したシート材料を備えたことを特徴とする請求項１〜８または１０に記載の電気ヒータ、または請求項９または１０に記載の装置。
【請求項１２】
前記反射領域は、概略炎の形状をしていることを特徴とする請求項１１に記載の電気ヒータまたは装置。
【請求項１３】
前記後方反射手段の前記反射面は凹状であることを特徴とする請求項１〜８または１０〜１２に記載の電気ヒータ、または請求項９〜１２に記載の装置。
【請求項１４】
前記放散および透過の面の前方に直接配置された模擬燃料床をさらに具えたことを特徴とする請求項１〜８または１０〜１３に記載の電気ヒータまたは請求項９〜１３に記載の装置。
【請求項１５】
前記面は反射する前面を備え、それによって前記燃料床の反射が当該面で見ることができることを特徴とする請求項１４に記載の電気ヒータ、または装置。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
本発明の第１の態様によれば、炎の効果を出す電気ヒータであって、
i）実質的に平らな壁に据えつけられるようにされたハウジングと、
ii）前記ハウジング内に配され、その動作によって当該ハウジング内に空気を吸い込み、該空気を加熱し、および該熱せられた空気を放出する加熱手段と、
iii）前記ハウジング内に配備される炎のシミュレーションを生成するアセンブリであって、
（ａ）光源と、
（ｂ）光の放散および透過を可能とする観察面と、
（ｃ）前記観察面の背後に配置された後方反射手段と、
（ｄ）動く光線を生成する手段と、
を具え、前記光源は前記反射手段の下で前記観察面の後ろに配され、前記動く光線を生成する手段は前記光源の前で前記観察面の下に配され、および前記光源からの光は前記動く光線を生成する手段で反射されて前記反射手段に至り、また、前記反射手段で反射して前記観察面に至り、当該観察面で見ることができる知覚できる像を生成し、および前記加熱手段は下方に向いた前記ハウジングの外側パネルを介して空気を吸い込み、また、放出することを特徴とする電気ヒータが提供される。
【手続補正４】
【補正対象書類名】明細書
【補正対象項目名】００１０
【補正方法】変更
【補正の内容】
【００１０】
本発明の第１の態様において最も好ましくは、前記光源は２０ｍｍより大きくない幅を有し、通常は約１５ｍｍより大きくない幅、例えば、１３〜１５ｍｍの幅を有する。
【手続補正５】
【補正対象書類名】明細書
【補正対象項目名】００１３
【補正方法】変更
【補正の内容】
【００１３】
本発明の第２の態様では、視覚上の効果（特に、炎のシミュレーション）を生成するための装置であって、
i）光源と、
ii）光の放散および透過を可能とする観察面と、
iii）動く光線を生成する手段と、
を具え、
ａ）前記光源からの光は前記動く光線を生成する手段で反射され、直接または間接に、前記観察面に至り当該観察面で見ることができる知覚像を生成し、および
ｂ）前記動く光線を生成する手段はその軸回りに回転するよう装着され、前記光源からの光を反射する反射材料が装着されたシャフトを備え、前記シャフトは当該第１の端部を当該シャフトを回転させるよう動作する駆動手段に駆動可能に連結され、また、当該第２の端部が支持ブラケットに保持され、前記シャフトはその動作位置から移動でき、それによって前記光源に近づくことが可能となることを特徴とする視覚上の効果を生成するための装置が提供される。